(57)【要約】【課題】  遊技者が装飾部材と押し退け部材を見逃すことなく確実に気付き、遊技者が飽きることなく強い衝撃を受けることになり、各種演出効果を更に向上させる遊技機である。【解決手段】  大当たり抽選の結果を遊技者に報知する機能、及び／又は、大当たり抽選の結果を報知するまでの経過中に演出を遊技者に報知する機能を具備する表示装置７を有し、前記表示装置７は可撓性を有するペーパー状の表示体９ａにより構成され、前記表示体９ａは外縁部の一部が固定され、その他の部分が非固定として設置され、前記表示体９ａの非固定部分の後方側には、装飾部材１０と押し退け部材８が設けられ、前記表示体と前記押し退け部材８とを相対的に動かすことにより、前記押し退け部材８が前記表示体９ａの非固定部分から前記表示体９ａを押し開くとともに、前記押し退け部材８によって押し開かれた前記表示体９ａの開口部から前記装飾部材１０を視認可能に構成したことにある。【選択図】      図４
2008099970.tif 000002
【特許請求の範囲】
【請求項１】
遊技球が転動可能な遊技領域を有する遊技盤と、
前記遊技盤の遊技領域内に設けられ、前記遊技球が入賞可能な始動口と、
前記遊技盤の遊技領域内に設けられ、前記遊技球が入賞不能な閉鎖状態及び前記遊技球が入賞可能な開放状態に相互に切換えられる可変入賞口と、
前記遊技球が前記始動口に入賞することに基づいて前記可変入賞口を開放する大当たり及び前記可変入賞口を開放しない外れを判定する大当たり抽選手段と、
前記大当たり抽選手段が大当たりを判定したときには前記可変入賞口を開放する大当たり遊技を行う大当たり遊技手段とを備えた遊技機において、
大当たり抽選の結果を遊技者に報知する機能、及び／又は、大当たり抽選の結果を報知するまでの経過中に演出を遊技者に報知する機能を具備する表示装置を有し、前記表示装置は可撓性を有するペーパー状の表示体により構成され、前記表示体は外縁部の一部が固定され、その他の部分が非固定として設置され、前記表示体の非固定部分の後方側には、装飾部材と押し退け部材が設けられ、前記表示体と前記押し退け部材とを相対的に動かすことにより、前記押し退け部材が前記表示体の非固定部分から前記表示体を押し開くとともに、前記押し退け部材によって押し開かれた前記表示体の開口部から前記装飾部材を視認可能に構成したことを特徴とする遊技機。
【請求項２】
前記装飾部材は、前記押し退け部材によって押し開かれた前記表示体の開口部から表示体の前方側へ飛び出すように構成したことを特徴とする請求項１に記載の遊技機。
【請求項３】
前記押し退け部材には、前記表示体の先端が反転するまで拡げる反転部材を設け、前記押し退け部材によって表示体が押し退けられた後、反転部材を動作させるように構成したことを特徴とする請求項１または２に記載の遊技機。
【発明の詳細な説明】
【技術分野】
【０００１】
本発明は、少なくとも図柄表示装置と押し退け部材を備えた遊技機に係り、特に、リーチ発生時、リーチハズレ時、大当たり発生時などにおいて、遊技者に対し効果的な演出を行えるように構成した遊技機に関する。
【背景技術】
【０００２】
一般的なパチンコ遊技機は、遊技者が遊技盤の下方に設けられた発射ハンドルを操作し、発射された遊技球が遊技盤の始動口に入賞すると、遊技盤中央部の液晶表示器（ＬＣＤ）やプラズマディスプレイなどからなる図柄表示装置の図柄表示画面に表示されている図柄（例えば、左右中列の各表示図柄）を変動表示させている。また、始動口への入賞に伴う始動条件成立時には、メイン制御装置において大当たり抽選が行われることになる。
そして、抽選結果が「大当たり」である場合、上記変動を開始した表示図柄は、例えば、リーチ予告演出、リーチ演出、大当たり予告演出などを行い、最終的に大当たり図柄で変動停止させて大当たり演出を行っている。一方、上記抽選結果が「ハズレ」である場合には、リーチ予告演出、リーチ演出を経て（あるいは、これらの演出を行うことなく）、ハズレ図柄で変動を停止させるようにしている。また、大当たり図柄で変動が停止した場合には大当たり状態となり、遊技盤の大入賞口が所定ラウンド数にわたり間欠的に解放されて多数の遊技球が入賞可能となり、多数の賞球が受け皿に払い出されて遊技者に特典が与えられることになる。
【０００３】
ところで、図柄変動と停止による演出のみでは表示装置の表示が単調になってしまい、遊技者が表示装置の図柄表示画面を見るのを飽きてしまうことが起きる。そのため、従来のパチンコ遊技機の中には、表示装置の前方側（遊技者側）に役物としての可動体を配置しているものがある（例えば、特許文献１参照）。この可動体は、表示装置の図柄表示画面の前方位置で可動し、可動体の動きと表示装置の画面演出とを連動させることによって、図柄の変動だけでなく可動体の動きも加わることになり、各種の演出などを行う際、遊技者の期待感や喜びなどをある程度高揚させることができる。
【特許文献１】特開２００１−２５５４６号公報
【発明の開示】
【発明が解決しようとする課題】
【０００４】
しかしながら、上述した従来のパチンコ遊技機においては、可動体が遊技者の位置から見えている状態で配置されているものが多いので、特に可動体の動きが単調であると、動く前から表示装置の画面演出と連動するであろうと予測することができてしまう上に、少し見慣れると遊技者は図柄と可動体の連動に飽きてしまうという問題があった。また、可動体を遊技者の位置から見えないように隠したとしても、可動体が上下左右方向のいずれの方向から突然出てきて表示装置の表示画面の前方に現れるに過ぎないので、遊技者が気付かないことが起こるという問題があった。
【０００５】
本発明はこのような実状に鑑みてなされたものであって、その目的は、遊技者が装飾部を有する押し退け部材を見逃すことなく確実に気付き、遊技者が飽きることなく強い衝撃を受けることになり、各種演出効果を更に向上させることが可能な遊技機を提供することにある。
【課題を解決するための手段】
【０００６】
上記従来技術の有する課題を解決するために、本発明は、遊技球が転動可能な遊技領域を有する遊技盤と、前記遊技盤の遊技領域内に設けられ、前記遊技球が入賞可能な始動口と、前記遊技盤の遊技領域内に設けられ、前記遊技球が入賞不能な閉鎖状態及び前記遊技球が入賞可能な開放状態に相互に切換えられる可変入賞口と、前記遊技球が前記始動口に入賞することに基づいて前記可変入賞口を開放する大当たり及び前記可変入賞口を開放しない外れを判定する大当たり抽選手段と、前記大当たり抽選手段が大当たりを判定したときには前記可変入賞口を開放する大当たり遊技を行う大当たり遊技手段とを備えた遊技機において、大当たり抽選の結果を遊技者に報知する機能、及び／又は、大当たり抽選の結果を報知するまでの経過中に演出を遊技者に報知する機能を具備する表示装置を有し、前記表示装置は可撓性を有するペーパー状の表示体により構成され、前記表示体は外縁部の一部が固定され、その他の部分が非固定として設置され、前記表示体の非固定部分の後方側には、装飾部材と押し退け部材が設けられ、前記表示体と前記押し退け部材とを相対的に動かすことにより、前記押し退け部材が前記表示体の非固定部分から前記表示体を押し開くとともに、前記押し退け部材によって押し開かれた前記表示体の開口部から前記装飾部材を視認可能に構成したことにある。
【０００７】
本発明において、前記装飾部材は、前記押し退け部材によって押し開かれた前記表示体の開口部から表示体の前方側へ飛び出すように構成したことにある。
また、本発明において、前記押し退け部材には、前記表示体の先端が反転するまで拡げる反転部材を設け、前記押し退け部材によって表示体が押し退けられた後、反転部材を動作させるように構成したことにある。
【発明の効果】
【０００８】
上述の如く、本発明に係る遊技機は、遊技球が転動可能な遊技領域を有する遊技盤と、前記遊技盤の遊技領域内に設けられ、前記遊技球が入賞可能な始動口と、前記遊技盤の遊技領域内に設けられ、前記遊技球が入賞不能な閉鎖状態及び前記遊技球が入賞可能な開放状態に相互に切換えられる可変入賞口と、前記遊技球が前記始動口に入賞することに基づいて前記可変入賞口を開放する大当たり及び前記可変入賞口を開放しない外れを判定する大当たり抽選手段と、前記大当たり抽選手段が大当たりを判定したときには前記可変入賞口を開放する大当たり遊技を行う大当たり遊技手段とを備えた遊技機において、大当たり抽選の結果を遊技者に報知する機能、及び／又は、大当たり抽選の結果を報知するまでの経過中に演出を遊技者に報知する機能を具備する表示装置を有し、前記表示装置は可撓性を有するペーパー状の表示体により構成され、前記表示体は外縁部の一部が固定され、その他の部分が非固定として設置され、前記表示体の非固定部分の後方側には、装飾部材と押し退け部材が設けられ、前記表示体と前記押し退け部材とを相対的に動かすことにより、前記押し退け部材が前記表示体の非固定部分から前記表示体を押し開くとともに、前記押し退け部材によって押し開かれた前記表示体の開口部から前記装飾部材を視認可能に構成したので、遊技者は、押し退け部材が表示体を押し開くとともに、押し退け部材による表示体の押し開きに連動して装飾部材遊技者に視認可能に構成され、これによって装飾部材を確認し、見ている表示画面に対する押し退け部材および装飾部材の予想外な動きによって遊技者が期待感を抱き、装飾部材の次の動きを注視することになり、押し退け部材および装飾部材の動きと表示装置の表示画面の図柄変動とが相俟って、従来の可動体を備えた遊技機よりも演出効果を向上させることができる。
【０００９】
また、本発明において、前記装飾部材は、前記押し退け部材によって押し開かれた前記表示体の開口部から表示体の前方側へ飛び出すように構成したことから、装飾部材の動きを見逃すことなく確実に気付き、見ている表示画面に対する押し退け部材および装飾部材の予想外な動きによって遊技者が飽きることなく強い衝撃を受けることになり、押し退け部材および装飾部材の動きと表示装置の表示画面の図柄変動とが相俟って、従来の可動体を備えた遊技機よりも演出効果を向上させることができる。また、押し退け部材によって表示体の前方に飛び出す装飾部の動きをスムーズに行わせることができる。
さらに、本発明において、前記押し退け部材には、前記表示体の先端が反転するまで拡げる反転部材を設け、前記押し退け部材によって表示体が押し退けられた後、反転部材を動作させるように構成したことから、押し退け部材が表示装置の表示体を押し開くときに、反転部材によって当該表示体の固定されていない部分をより大きく開くことができる。
【発明を実施するための最良の形態】
【００１０】
以下、本発明を図示の実施の形態に基づいて詳細に説明する。
【００１１】
図１〜図１７は本発明の遊技機であるパチンコ遊技機の実施の形態を示している。図１は本発明の実施の形態に係るパチンコ遊技機の遊技盤の正面図、図２は本実施の形態に係る遊技機の図柄表示画面と可動体を示す正面図、図３は本実施の形態に係る遊技機の図柄表示画面と可動体を示す図２のＡ−Ａ線断面図、図４は本実施の形態に係る可動体を示す斜視図、図５は可動体によって僅かに開かれた図２の図柄表示画面と可動体を示す正面図、図６は図５のＢ−Ｂ線断面図、図７は可動体によって外側に開かれた図５の図柄表示画面と可動体を示す正面図、図８は図７のＣ−Ｃ線断面図、図９は拡開手段によって表示体を押し開くように作動した状態を示す可動体の斜視図、図１０は、拡開手段を駆動する駆動機構の一例を示す正面図、図１１は図１０の平面図である。また、図１２は本発明の実施の形態に係るパチンコ遊技機の各制御基板の制御フローを示すブロック図、図１３は本実施の形態に係るメイン制御基板の制御処理を示すフローチャート、図１４は本実施の形態に係るサブ制御基板の制御処理を示すフローチャート、図１５は本実施の形態に係る表示制御基板の制御処理を示すフローチャート、図１６は本実施の形態に係る可動体制御基板の制御処理を示すフローチャート、図１７は本実施の形態に係る表示装置の表示内容と可動体の動きを変動パターンに応じて示すテーブルチャートである。
なお、本実施の形態においては、本発明の押し退け部材を可動体として表現するが、図柄表示装置の表示体が固定されている部分を可動させ、固定されている可動体によって当該表示体を押し広げるようにした構成も含まれている。
【００１２】
本実施の形態のパチンコ遊技機は、図１に示すように、遊技球が転動可能な遊技領域を有する遊技盤６と、遊技盤６の遊技領域内に設けられ、遊技球が入賞可能な始動入賞口２と、遊技盤６の遊技領域内に設けられ、遊技球が入賞不能な閉鎖状態及び遊技球が入賞可能な開放状態に相互に切換えられる大入賞口（可変入賞口）３と、遊技球が始動入賞口２に入賞することに基づいて大入賞口３を開放する大当たり及び大入賞口３を開放しない外れを判定する大当たり抽選手段（図示せず）と、この大当たり抽選手段が大当たりを判定したときには大入賞口３を開放する大当たり遊技を行う大当たり遊技手段（図示せず）をそれぞれ備えている。なお、遊技盤６の遊技領域内には、風車１、アウト口４、誘導レール５、遊技釘（図示せず）などが所定位置に配設されている。
また、このような遊技盤６上には、大当たり抽選の結果を遊技者に報知する機能、及び／又は、大当たり抽選の結果を報知するまでの経過中に演出を遊技者に報知する（予告表示や遊技状態の表示などを行う）機能を具備する図柄表示装置（ＬＣＤ）７が設けられている。そして、この図柄表示装置７の後方側には、後述するような動きをする役物としての可動体８が設けられている。
【００１３】
上記図柄表示装置７は、図１に示すように、画像として特別図柄（例えば、絵柄、英数字、記号等）や装飾図柄等を表示する図柄表示画面９を備えており、この図柄表示画面９の図柄は、例えば、始動入賞口２に遊技球が入ると変動し始め、所定時間経過後に停止するようになっている。
また、図柄表示装置７の図柄表示画面９は、複数枚（本実施形態では４枚であるが、上部側のみが固定された暖簾状のものやスリットなどが設けられたものであれば１枚でも良く、さらに２枚又は３枚、あるいは５枚以上であっても良い）の表示体９ａを組み合わせることによって構成されている。これら４枚の表示体９ａは、フレキシブルに変形可能な可撓性を有し、所定回数の使用にも耐えることが可能な強度を有するペーパー状の樹脂プレート（例えば、電子ペーパー）を用いて形成されている。各表示体９ａは、図１中において二重線で示される図柄表示画面９の外周側に位置する外縁部の一部が固定され（点線状に固定されも良いし、直線状に固定されても良い）、図１中において十字線で示されるその他のつなぎ目の部分が固定されていない自由端部（非固定部分）となって、設置されている。
さらに、可動体８によって表示体９ａが押し退けられていない時には、表示体９ａは、その弾力性によって一定の形状を維持できるように構成されている。もしくは、表示体９ａを支える部材を設けることによって、表示体９ａが一定の形状を維持するようにしても良い。
【００１４】
一方、上記可動体８は、図１〜図１１に示すように構成されており、図柄表示画面９の表示体９ａを押し開いて、内部に収納されている様々なキャラクタなどを模した演出部材（装飾部材）１０が図柄表示装置７の前方に飛び出すように可動するものである。このため、可動体８は、図柄表示装置７の図柄表示画面９の中央部であって、各表示体９ａの固定されていないつなぎ目の自由端部と対応した後方位置に配設されている。
【００１５】
可動体８は、前記演出部材１０を内部に収納し、かつ前記表示体９ａの先端を反転部材によって反転するまで拡げる拡開手段２０を備えた枠形状の保護カバー１１で構成されている。演出部材１０は、保護カバー１１と一体で動くこともでき、保護カバー１１から離れて演出部材１０のみが独立して動くことができるように構成されている。
保護カバー１１は、図２ないし図４に示すように、前方が開放され、背面が塞がれた四角形の枠体１１ａで構成され、中の演出部材１０が前方から見えるように構成されている。枠体１１ａは、円筒状あるいは、楕円形状に形成しても良く、また、上下および左右の側壁１１ｂを透明な樹脂材等を用いて側面から見えるように構成しても良い。
【００１６】
前記可動体８は、図３に示すように、モータ１２1で発生させた動力を動力伝達機構を介して受けることにより、図柄表示装置７の図柄表示画面９に対して前後方向へ動き、表示体９ａを押し開き、表示体９ａの先端を反転部材によって反転するまで拡げる拡開手段２０によって、図柄表示画面９の自由端部であるつぎ目の部分から各表示体９ａを押し広げて、演出部材１０を図柄表示画面９から遊技者側に飛び出させたり、あるいは遊技者と反対側に引っ込んだりするように構成されている。
このため、可動体８は、保護カバー１１の後面部１１ｃを動力伝達機構のラック１３1の先端に固定し、該ラック１３1と噛合うピニオン１４1をモータ１２1の回転軸１２1ａに固定することにより、往復動可能に構成されている。モータ１２1の回転及び停止は、後述のサブ制御基板及び可動体制御基板によって制御されており、その結果、可動体８の動きは、図柄表示画面９からの飛び出し量などを含めて当該サブ制御基板及び可動体制御基板によって制御されることになる。
【００１７】
保護カバー１１に収納された演出部材１０は、演出部材１０の後面部１０ｃを動力伝達機構のラック１３2の先端に固定し、該ラック１３2と噛合うピニオン１４2をモータ１２2の回転軸１２2ａに固定することにより、往復動可能に構成されている。前記ラック１３2は、保護カバー１１の後面部１１ｃの下部側に形成された開口穴１１ｄを通して演出部材１０に連結されており、該ラック１３2を駆動するモータ１２2が保護カバー１１の後面部１１ｃの下部に後方に延設された支持プレート１１ｅに載置されている。モータ１２2の回転及び停止は、後述のサブ制御基板及び可動体制御基板によって制御されており、その結果、演出部材１０の動きは、図柄表示画面９からの飛び出し量などを含めて当該サブ制御基板及び可動体制御基板によって制御されることになる。
【００１８】
前記拡開手段２０は、図９ないし１１に示すように、可動体８の前面４隅に、それぞれ設置された反転部材としての操作ロッド２１と、各操作ロッド２１を作動する駆動機構２２と、駆動機構２２を制御する図示しない制御部とで構成されている。図１０は枠体１１ａの片側の操作ロッド２１を作動する駆動機構２２の一例を示したもので、左右共通の駆動機構２２が互いに同期して駆動されるように設けられている。駆動機構２２を制御する制御部は、前記可動体制御基板に組み込むことによって、可動体８の動き、および演出部材１０の動きと連動させて作動させることができる。
反転部材としての各操作ロッド２１は枠体１１ａの４隅に図示しないヒンジ部を介して前方中心部から枠体１１ａの角部の外側に向けて斜め方向に回動可能に設けられており、各操作ロッド２１の動作を駆動機構２２によって行っている。駆動機構２２は、保護カバー１１の内側、すなわち枠体１１ａの内面側に設けられており、モータ２３の出力軸２３ａに噛合するピニオン２４1と、このピニオン２４1に噛合するピニオン２４2と、これらピニオン２４1、２４2とそれぞれリンク機構２５1，２５2を介して回転が伝達されるピニオン２６1，２６2と、これらピニオン２６1，２６2に噛合するピニオン２７1，２７2と、これらピニオン２７1，２７2と同軸に設けられた傘歯車２８1，２８2と、これら傘歯車２８1，２８2に噛合すると共に上下の操作ロッド２１に設けられた傘歯車２９1，２９2とで構成されている。
【００１９】
すなわち、図柄表示画面９の後方に配置された可動体８は、後述の所定演出パターン時において、図３に示すように、まず図柄表示装置７側の前方へ向かって、図柄表示画面９の背面に当接する位置まで動かされる。続いて可動体８がさらに前方へ向かって動かされると、図５，６に示すように、拡開手段２０の反転部材としての操作ロッド２１が先端を介して図柄表示画面９の各表示体９ａを押し開き、各表示体９ａのつぎ目である自由端部が互いに離間させられていく。その後、可動体８がさらに前方へ向かって動かされると、図７，８に示すように、拡開手段２０が作動し、駆動機構２２によって反転部材としての各操作ロッド２１が枠体１１ａの外側に広がり、図柄表示画面９の各表示体９ａがさらに上下左右方向へ反転されながら押し広げられて全開する。この状態で、表示体９ａが反転された開口部から遊技者は演出部材１０を視認することができる。
次に、モータ１２2が作動してラック１３2を前方に押し出し、演出部材１０を図柄表示画面９の前方に押し出す。そして、枠体１１ａの中から演出部材１０が図柄表示画面９の前方に飛び出して停止する。これにより、遊技者は保護カバー１１の中から演出部材１０が飛び出してくるため、演出部材１０の予想外の動きに注目し、遊技者は大当たり等の期待感を持つことになる。元の位置に戻る時は、再びモータ１２2を作動してラック１３2を後方に移動し、演出部材１０を枠体１１ａの中に収納する。演出部材１０が枠体１１ａの中に収納されると、拡開手段２０が閉じる方向に作動して図柄表示画面９の各表示体９ａが元の状態に戻るように作動する。図柄表示画面９の各表示体９ａが閉じると、可動体８は再び後方に移動して元の位置に復帰する。こうして、上記と逆の手順で可動体８は動かされて、元の位置に戻ることになる。
なお、可動体８および演出部材１０を駆動するモータ１２1，１２2に代えて他の駆動源（例えば、ソレノイド等）を用いても良い。また、ラック１３1，１３2とピニオン１４1，１４2に代えて他の動力伝達機構（例えば、ベルト、チェーン等）を用いても良い。拡開手段２０を作動する駆動機構２２としては、上記歯車およびリンク機構によって構成したが、他の動力伝達機構によって、駆動することもできる。
【００２０】
次に、本実施の形態のパチンコ遊技機に設けられている各種制御基板について、図１２〜図１７を参照しながら説明する。
本実施の形態のパチンコ遊技機の制御基板としては、図１２に示すように、主に、パチンコ遊技機によるパチンコ遊技を実現するメイン制御基板１００と、該メイン制御基板１００から送られた制御信号を受信するサブ制御基板２００と、該サブ制御基板２００から送られた制御信号を受信し、図柄表示装置７の図柄表示画面９に図柄を表示する表示制御基板３００と、該サブ制御基板２００から送られた制御信号を受信し、可動体８の動きを制御する可動体制御基板４００とを備えている。なお、表示制御基板３００と可動体制御基板４００とは、サブ制御基板２００を介して、図柄表示画面９の図柄変動と可動体８の動きとが連動して制御されることも可能になっている。可動体制御基板４００の中に、演出部材１０および拡開手段２０の制御機能が付加されている。
【００２１】
メイン制御基板１００の制御フローでは、図１３に示すように、まず始動入賞口２（図１参照）に遊技球が入った否かを判別する（ステップＳ１）。そして、始動入賞口２に遊技球が入った（ＹＥＳ）と判別した場合は、次の大当たり抽選を行う（ステップＳ２）。なお、ステップＳ１で始動入賞口２に遊技球が入らなかった（ＮＯ）と判別した場合には、何もせずにそのままメイン制御基板１００の制御フローを終了させる。
次いで、ステップＳ２での大当たり抽選の結果に応じた後述の変動パターンを選択する（ステップＳ３）と共に、後述の停止図柄を選択する（ステップＳ４）。その後、サブ制御基板２００へこれら変動パターンと停止図柄を送信し（ステップ５）、メイン制御基板１００の制御フローを終了させる。
【００２２】
また、サブ制御基板２００の制御フローでは、図１４に示すように、まずメイン制御基板１００より制御信号を受信したか否かを判別する（ステップＳ１１）。そして、メイン制御基板１００より制御信号を受信した（ＹＥＳ）と判別した場合は、演出選択カウンタ値（後述する）を取得する（ステップＳ１２）。なお、ステップＳ１１でメイン制御基板１００より制御信号を受信しなかった（ＮＯ）と判別した場合には、何もせずにそのままサブ制御基板２００の制御フローを終了させる。
次いで、メイン制御基板１００より送信された変動パターンとステップＳ１２での演出選択カウンタ値から、図１７のテーブルチャートを参照して後述の演出パターンを選択する（ステップＳ１３）。その後、表示制御基板３００へ演出パターンと停止図柄を送信する（ステップＳ１４）と共に、可動体制御基板４００へ演出パターンを送信し（ステップ１５）、サブ制御基板２００の制御フローを終了させる。
【００２３】
一方、表示制御基板３００の制御フローでは、図１５に示すように、まずサブ制御基板２００より制御信号を受信したか否かを判別する（ステップＳ２１）。そして、サブ制御基板２００より制御信号を受信した（ＹＥＳ）と判別した場合は、選択された演出パターンと停止図柄に合わせて表示し（ステップＳ２２）、表示制御基板３００の制御フローを終了させる。なお、ステップＳ２１でサブ制御基板２００より制御信号を受信しなかった（ＮＯ）と判別した場合には、何もせずにそのまま表示制御基板３００の制御フローを終了させる。
また、可動体制御基板４００の制御フローでは、図１６に示すように、まずサブ制御基板２００より制御信号を受信したか否かを判別する（ステップＳ３１）。そして、サブ制御基板２００より制御信号を受信した（ＹＥＳ）と判別した場合は、選択された演出パターンに合わせて可動体８を可動させ（ステップＳ３２）、可動体制御基板４００の制御フローを終了させる。なお、ステップＳ３１でサブ制御基板２００より制御信号を受信しなかった（ＮＯ）と判別した場合には、何もせずにそのまま可動体制御基板４００の制御フローを終了させる。
【００２４】
次に、図１７を参照して、メイン制御基板１００及びサブ制御基板２００より表示制御基板３００及び可動体制御基板４００に送られた変動パターン、演出選択カウンタ値及び演出パターンに応じて、決定される図柄表示装置７の図柄表示画面９の表示内容と可動体８の動きを説明する。ここで、図柄表示画面９の表示内容と可動体８の動きは、別々に制御され、時間的に連動するように設定されているが、別々に制御するのではなく、一つのＣＰＵで制御しても良い。さらに、別々の制御ではあるが、双方向通信を行ってリンクを取るようにしても良い。
なお、図１７の「表示内容＋可動体の動き」に記載された下向きの矢印は、三つ（左図柄、中図柄、右図柄）の図柄群の変動を示し、「停」は図柄停止を示し、「◎」は可動体８が飛び出すことを示している。また、演出選択カウンタ値は、例えば、０〜９９の範囲に設定されている。さらに、「リーチ」とは、未だに変動している残りの図柄を除き、他の図柄が一致している状態を意味している。
【００２５】
（１）サブ制御基板２００は、メイン制御基板１００から変動パターン１を受信し、該変動パターン１を受信したタイミングで演出選択カウンタ値６０を取得した場合、サブ制御基板２００では図１７のテーブルチャートを元にして演出パターン１−Ａを決定し、表示制御基板３００へ決定した演出パターンと停止図柄を送信し、可動体制御基板４００へ決定した演出パターンを送信する。
表示制御基板３００は、演出パターン１−Ａを受信すると、演出パターン１−Ａに対応する表示内容として「図柄変動を開始し、２秒後に左図柄を停止し、４秒後に右図柄を停止し、６秒後に中図柄を停止する」という情報を持っているので（図柄の停止秒数は一例）、その情報に従って、まず始めに図柄変動を開始し、２秒後に左図柄を停止し、次いで４秒後に右図柄を停止させる。この時、左図柄と右図柄は一致しない状態で停止されることとなる。その後、６秒後に中図柄を停止させる。左図柄と右図柄が一致していないので、完全ハズレとして遊技者に報知することになる。
可動体制御基板４００は、演出パターン１−Ａを受信すると、演出パターン１−Ａに対応する動きとしては「動かない」という情報を持っているので、可動体８を動かさない。
（２）サブ制御基板２００は、メイン制御基板１００から変動パターン２を受信し、該変動パターン２を受信したタイミングで演出選択カウンタ値８０を取得した場合、サブ制御基板２００では図１０のテーブルチャートを元にして演出パターン２−Ｂを決定し、表示制御基板３００へ決定した演出パターンと停止図柄を送信し、可動体制御基板４００へ決定した演出パターンを送信する。
表示制御基板３００は、演出パターン２−Ｂを受信すると、演出パターン２−Ｂに対応する表示内容として「図柄変動を開始し、３秒後に左図柄を停止し、６秒後に右図柄を停止し、１２秒後に中図柄を停止する」という情報を持っているので（図柄の停止秒数は一例）、その情報に従って、まず始めに図柄変動を開始し、３秒後に左図柄を停止し、次いで６秒後に右図柄を停止させる。この時、左図柄と右図柄は一致する状態で停止されることとなる。その後、１２秒後に左図柄及び右図柄と異なる中図柄を停止させる。中図柄が左図柄及び右図柄と一致していないので、リーチハズレとして遊技者に報知することになる。
可動体制御基板４００は、演出パターン２−Ｂを受信すると、演出パターン２−Ｂに対応する動きとしては「６秒後に可動体８を図柄表示装置７の前方に飛び出させ、８秒後に可動体８を収納する」という情報を持っているので、可動体８は６秒経過するまでは可動せずに停止しておき、６秒経過した時点で可動体８を作動し、反転部材としての操作ロッド２１を動かして図柄表示装置７を押し広げる。こうして、演出部材１０を遊技者が視認することができる。そして、６．５秒後に演出部材１０を図柄表示装置７の前方に飛び出させ、７．５秒後には演出部材１０を図柄表示装置７の後方に移動させ、保護カバー１１内に収納する。次に、８秒経過した時点で反転部材としての操作ロッド２１を動かして図柄表示装置７を閉じ、可動体８を動かして図柄表示装置７の後方の停止位置まで作動する制御を行う。このように、可動体８が前方に可動する際には、拡開手段２０の反転部材としての操作ロッド２１の作動により図柄表示装置７の表示体９ａを押し広げて、演出部材１０が通過する通路を確保し、演出部材１０が保護カバー１１から離れ、一定時間、図柄表示装置７の前方に飛び出すように制御される。演出部材１０が飛び出す時間は、可動体８を動かす時間の中で任意に設定することができる。
【００２６】
上記と同様にして、サブ制御基板２００が、メイン制御基板１００から受信した変動パターンと該変動パターンを受信したタイミングで取得する演出選択カウンタ値から図１７のテーブルチャートを元に、演出パターンを決定し、表示制御基板３００及び可動体制御基板４００がサブ制御基板２００にて決定した演出パターンによって表示制御及び可動体制御を行うことにより、図柄変動開始後に可動体８が動いたり、リーチハズレの図柄を停止後に可動体８が動いて大当たり図柄の組み合わせが表示されたり、あるいは非確変当たりで図柄が停止した後に可動体８が動いて確変当たりで図柄を停止して表示させたりするように遊技者に報知することが可能となる。
なお、このような表示内容と可動体８の動きは、多数ある変動パターンの一部（パターン１〜７）に基づいたものであり、これに限られるものではなく、種々の図柄変動や停止図柄、種々のタイミングで可動体８を動かすことが可能である。また、可動体８は、飛び出したり引っ込んだりするような動きだけでなく、可動する距離を変更することも可能である。可動体８から飛び出す演出部材１０は、飛び出す距離を任意に設定することができ、かつ演出部材１０を回転させるなど他の動きを組み込むこともできる。また、演出部材１０は、可動体８から飛び出す設定のほかに、可動体８から飛び出さない状態を保つ設定を組み込むこともできる。この場合、演出部材１０は、可動体８、すなわち、保護カバー１１の中に入った状態を継続し、遊技者に期待感を持たせる設定を組み込むこともできる。
【００２７】
本発明の実施形態のパチンコ遊技機において、図外の発射ハンドルの操作によって遊技球が遊技盤６上に発射され、図１に示す始動入賞口２に入ると、変動パターン、演出選択カウンタ値及び演出パターンに応じ、図柄表示装置７の図柄表示画面９に表示される図柄変動の停止図柄と連動するなどして、図柄表示画面９の後方側に配置されて見えない可動体８が、拡開手段２０の反転部材としての操作ロッド２１によって各表示体９ａを押し広げ、演出部材１０が図柄表示画面９から遊技者側に飛び出すように動き、図柄表示画面９の前方に出現することになる。
このため、本実施形態のパチンコ遊技機によれば、隠れていた可動体８が図柄表示画面９から突然出てきても遊技者が見逃すことはなくなり、見ている表示画面９に対する可動体８の予想外な動きによって遊技者が飽きることなく強い衝撃を受けることになる。したがって、可動体８および演出部材１０の動きと図柄表示装置７の図柄表示画面９の表示内容とによって、従来の可動体を備えた遊技機よりもインパクトのある多種多様の数多くの演出内容が可能となり、各演出効果を一層向上させることができる。拡開手段２０の反転部材としての操作ロッド２１によって各表示体９ａを押し広げて演出部材１０が図柄表示画面９の前方に出現するので、演出部材１０が表示体９ａに引っかかって動作不能になる虞がない。よって、演出部材１０の形状に影響されないので、各種のキャラクタを演出部材１０に採用することができる。
ところで、従来のパチンコ遊技機は、表示装置の上下左右から可動体を飛び出させていることから、表示装置の大きさと可動体を配置する大きさ分だけ非遊技領域を設ける必要があった。しかし、本発明の実施形態のパチンコ遊技機では、可動体８を図柄表示装置７の後方側に配置していることから、当該可動体を配置していた領域だけ非遊技領域を小さくすることができ、結果的に遊技領域を従来のものよりも広げることができる。
【００２８】
図１８ないし図２０は、本発明の拡開手段の他の実施の形態である。この場合、図１ないし図４、図１０と同一部分は同符号を付して同一部分の説明を省略して説明する。図２０の拡開手段３０は、片側側面の上方側の操作ロッド３１を示したもので、反転部材としての左右の操作ロッド３１は、図示しない制御部によって、同期して駆動されるものである。
この実施の形態では、拡開手段３０は、枠体１１ａの４隅に、前方に向けて突出させて設けられた反転部材としての操作ロッド３１を中間位置から外側に向けて折り曲げ可能に構成し、この折り曲げ操作によって、図柄表示画面９の各表示体９ａを開くように構成したものである。
折り曲げ可能に構成した操作ロッド３１を駆動機構３２によって直角あるいはそれ以上の角度で折り曲げ操作するものである。反転部材としての各操作ロッド３１は中間部から先の先端部側３１ａを後端部側３１ｂに対して回動可能に軸支するとともに、先端部側３１ａに設けたピン３３に線条体３４の一端を連結し、線条体３４の他端を図１０の駆動機構２２のリンク機構２５2に設けられた連結ピン３５に連結したものである。
この実施の形態においても、可動体８が前方へ向かって動かされると、拡開手段３０の反転部材としての操作ロッド３１が先端を介して図柄表示画面９の各表示体９ａを押し開き、各表示体９ａのつぎ目である自由端部が互いに離間させられていく。その後、可動体８がさらに前方へ向かって動かされると、拡開手段３０が作動し、図１９に示すように駆動機構３２によって各操作ロッド３１の先端部側３１ａが枠体１１ａの外側に広がり、図７に示したように、図柄表示画面９の各表示体９ａが上下左右方向へ反転されながら押し広げられて全開する。次に、図８に示したように、モータ１２2が作動してラック１３2を前方に押し出し、演出部材１０を図柄表示画面９の前方に押し出す。そして、枠体１１ａの中から演出部材１０が図柄表示画面９の前方に飛び出して停止する。これにより、遊技者は保護カバー１１の中から演出部材１０が飛び出してくるため、演出部材１０の予想外の動きに注目し、遊技者は大当たり等の期待感を持つことになる。反転部材としての操作ロッド３１を操作する駆動機構３２の構成は、前記実施の形態の構造に限定されるものではなく、例えば、先端部側３１ａを折り曲げる線条体３４は、リンクあるいはワイヤーでも良く、また、先端部側３１ａを元の状態に復帰させるには、後端部側３１ｂとの間にコイルバネを用いて反発力を利用することもできる。
【００２９】
以上、本発明の実施の形態につき述べたが、本発明は既述の実施の形態に限定されるものではなく、本発明の技術的思想に基づいて各種の変形及び変更が可能である。
例えば、既述の実施形態では、可動体８を図柄表示装置７の図柄表示画面９の後方側に配置し、所定の演出パターン時等に、可動体８が図柄表示画面９の各表示体９ａを押し開いて図柄表示装置７の前方に飛び出すようになっているが、図２１に示すように、図柄表示装置７の図柄表示画面９とは別個に小型の表示画面１９を他の位置に設け、該表示画面１９の後方側に小型の可動体８を配置し、小型の可動体８が表示画面１９の各表示体１９ａを押し開いて表示画面１９の前方に飛び出すようにしても良い。この表示画面１９は、小型ではあるが、図柄表示画面９と同様の４枚の表示体１９ａで構成されている。なお、表示画面１９は予告を表示したり、現在の遊技状態を表示したりしても良い。
さらに、既述の実施形態における図柄表示装置７の表示体９ａが固定されている部分を可動体８へ可動させ、可動体８を固定状態にすることにより表示体９ａが可動体８と当接し、表示体９ａの非固定部分が可動体８により押し広げられて可動体８が表示体９ａの非固定部分から飛び出すようにしても良い。この場合、表示体９ａが固定されている部分を可動体８側へ可動させる駆動機構としては、既述した機構を使用することにより実現することができる。
【図面の簡単な説明】
【００３０】
【図１】本発明の実施の形態に係るパチンコ遊技機の遊技盤を示す正面図である。
【図２】本実施の形態に係る遊技機の可動体を図柄表示画面との関係で示す斜視図である。
【図３】本実施の形態に係る遊技機の図柄表示画面と可動体を示す図２のＡ−Ａ線断面図である。
【図４】本実施の形態に係る可動体を示す斜視図である。
【図５】可動体によって僅かに開かれた図２の図柄表示画面と可動体を示す正面図である。
【図６】図５のＢ−Ｂ線断面図である。
【図７】可動体によって外側に開かれた図５の図柄表示画面と可動体を示す正面図である。
【図８】図７のＣ−Ｃ線断面図である。
【図９】拡開手段によって表示体を押し開くように作動した状態を示す可動体の斜視図である。
【図１０】拡開手段を駆動する駆動機構の一例を示す正面図である。
【図１１】図１０の平面図である。
【図１２】本発明の実施の形態に係るパチンコ遊技機の各制御基板の制御フローを示すブロック図である。
【図１３】本実施の形態に係るメイン制御基板の制御処理を示すフローチャートである。
【図１４】本実施の形態に係るサブ制御基板の制御処理を示すフローチャートである。
【図１５】本実施の形態に係る表示制御基板の制御処理を示すフローチャートである。
【図１６】本実施の形態に係る可動体制御基板の制御処理を示すフローチャートである。
【図１７】本実施の形態に係る表示装置の表示内容と可動体の動きを変動パターンに応じて示すテーブルチャートである。
【図１８】本発明の他の実施の形態に係る可動体を示す斜視図である。
【図１９】図１８の他の実施の形態に係る拡開手段によって表示体を押し開くように作動した状態を示す可動体の斜視図である。
【図２０】図１８の他の実施の形態に係る可動体の拡開手段を駆動する駆動機構の一例を示す正面図である。
【図２１】本発明の実施の形態の変形例に係るパチンコ遊技機の遊技盤を示す正面図である。
【符号の説明】
【００３１】
２  始動入賞口
３  大入賞口（可変入賞口）
６  遊技盤
７  図柄表示装置
８  可動体（押し退け部材）
９  図柄表示画面
９ａ  表示体
１０  演出部材（装飾部材）
１１  保護カバー
１１ａ  枠体
１１ｂ  側壁
１１ｃ  後面部
１１ｄ  開口穴
１１ｅ  支持プレート
１２1，１２2  モータ
１２1ａ，１２2ａ  回転軸
１３1，１３2  ラック
１４1，１４2  ピニオン
２０  拡開手段
２１，３１  操作ロッド（反転部材）
２２，３２  駆動機構
１００  メイン制御基板
２００  サブ制御基板
３００  表示制御基板
４００  可動体制御基板
【図１】
2008099970.tif 000003
【図２】
2008099970.tif 000004
【図３】
2008099970.tif 000005
【図４】
2008099970.tif 000006
【図５】
2008099970.tif 000007
【図６】
2008099970.tif 000008
【図７】
2008099970.tif 000009
【図８】
2008099970.tif 000010
【図９】
2008099970.tif 000011
【図１０】
2008099970.tif 000012
【図１１】
2008099970.tif 000013
【図１２】
2008099970.tif 000014
【図１３】
2008099970.tif 000015
【図１４】
2008099970.tif 000016
【図１５】
2008099970.tif 000017
【図１６】
2008099970.tif 000018
【図１７】
2008099970.tif 000019
【図１８】
2008099970.tif 000020
【図１９】
2008099970.tif 000021
【図２０】
2008099970.tif 000022
【図２１】
2008099970.tif 000023